(57)【要約】      （修正有）【課題】同一の機種で皮膚に異なる刺激感覚を与えることが可能な電動式ローラマッサージ機を提供する。【解決手段】電動式ローラマッサージ機１が、電動機１０３と、前記電動機によって駆動される先端に係止部を有する回転軸と、前記電動機と前記回転軸を、前記回転軸の先端側を露出させて覆う筐体とを備えたマッサージ機本体と、中心に、前記回転軸の先端に着脱可能に係合する取付け部を有するとともに側面に放射状に突設した複数の回転軸２１３を備えた基体と、前記基体の各回転軸に回転可能に軸支された複数のマッサージローラ２２０ａ、２２０ｂを備えた第１のマッサージアタッチメントと、中心に、前記回転軸の先端が着脱自在に係合する取付け部を有するとともに前記取り付け部の反対側の面に配設された複数の刺激付与体を備えた第２のマッサージアタッチメントを備える。【選択図】図２
2014018506.tif 000002
【特許請求の範囲】
【請求項１】
電動機と、前記電動機によって駆動される先端に係止部を有する回転軸と、前記電動機と前記回転軸を、前記回転軸の先端側を露出させて覆う筐体とを備えたマッサージ機本体と、
中心に、前記回転軸の先端に着脱可能に係合する取付け部を有するとともに側面に放射状に突設した複数の回転軸を備えた基体と、前記基体の各回転軸に回転可能に軸支された複数のマッサージローラを備えた第１のマッサージアタッチメントと、
中心に、前記回転軸の先端が着脱自在に係合する取付け部を有するとともに前記取り付け部の反対側の面に配設された複数の刺激付与体を備えた第２のマッサージアタッチメントと、
を備えることを特徴とする電動式ローラマッサージ機。
【請求項２】
前記マッサージローラが、外周面に突設された弾性突起を備え、前記弾性突起がゴム又は発泡プラスチックからなることを特徴とする請求項１に記載の電動式ローラマッサージ機。
【請求項３】
前記刺激付与体は、金属性もしくはゴム又は発泡プラスチックで形成された球体または半球体であることを特徴とする請求項１または２に記載の電動式ローラマッサージ機。
【請求項４】
前記刺激付与体は、毛を稙設して形成されたことを特徴とする請求項１または２に記載の電動式ローラマッサージ機。
【請求項５】
前記マッサージ機本体には、前記電動機を駆動する充電可能な電池が収納され、前記電池へ電力を供給する給電手段が配設されていることを特徴とする請求項１乃至４のいずれか１記載の電動式ローラマッサージ機。
【発明の詳細な説明】
【技術分野】
【０００１】
本発明は、電動式ローラマッサージ機に関する。
【背景技術】
【０００２】
従来から、マッサージ器として、筐体内に電動機とこれによって駆動される回転軸の方向の異なる複数のマッサージローラを収容し、筐体に設けた開口部から周面の一部が同一平面をなすようにマッサージローラの一部を露出させ、この露出させたマッサージローラの周面を人体の皮膚面に接触させてマッサージ効果を得るようにしたものが知られている（例えば、特許文献１参照）。
また、このマッサージローラの周面に軟質弾性材料からなる突起部を歯車状に突設して、マッサージローラの周面の摩擦によるマッサージ効果に加えて回転時におけるこれらの突起部によるパルス状の押圧によるマッサージ効果も得られるようにしたマッサージ器も提案されている。
【先行技術文献】
【特許文献】
【０００３】
【特許文献１】実開平５−９１６５７号公報
【発明の概要】
【発明が解決しようとする課題】
【０００４】
これらのマッサージ器は、複数のマッサージローラが、それぞれ異なる方向に回転するため、皮膚面に沿った引っ張りや圧縮などの特徴的なマッサージ作用を与える効果を奏し、マッサージローラの周面に軟質弾性材料からなる突起部を歯車状に突設したものでは、上記作用に加えて、皮膚面に、マッサージローラの周面の突起部によるパルス状の押圧によるマッサージ作用を与える効果も奏する。
しかし、これらのマッサージ器では機種ごとに固有の刺激を皮膚に与えるだけで、皮膚に対して異なる刺激感覚、例えばパルス状の軽く叩く感覚と、押圧する感覚とを与えるようなことができないという難点があった。
本発明は、上記した事情に鑑みてなされたものであり、同一の機種で皮膚に異なる刺激感覚を与えることが可能な電動式ローラマッサージ機を提供することを目的とする。
【課題を解決するための手段】
【０００５】
本発明の電動式ローラマッサージ機は、電動機と、前記電動機によって駆動される先端に係止部を有する回転軸と、前記電動機と前記回転軸を、前記回転軸の先端側を露出させて覆う筐体とを備えたマッサージ機本体と、
中心に、前記回転軸の先端に着脱可能に係合する取付け部を有するとともに側面に放射状に突設した複数の回転軸を備えた基体と、前記基体の各回転軸に回転可能に軸支された複数のマッサージローラを備えた第１のマッサージアタッチメントと、
中心に、前記回転軸の先端が着脱自在に係合する取付け部を有するとともに前記取り付け部の反対側の面に配設された複数の刺激付与体を備えた第２のマッサージアタッチメントと、
を備えることを特徴とする。
【０００６】
本発明の電動式ローラマッサージ機は、マッサージローラが、外周面に突設された弾性突起を備え、前記弾性突起がゴム又は発泡プラスチックからなることが望ましい。
刺激付与体は、金属性もしくはゴム又は発泡プラスチックで形成された球体または半球体であってもよい。
【０００７】
本発明の電動式ローラマッサージ機は、刺激付与体を毛を稙設して形成することもできる。マッサージ機本体には、電動機を駆動する充電可能な電池が収納され、この電池へ電力を供給する給電手段が配設されるように構成することができる。
【発明の効果】
【０００８】
本発明の電動式ローラマッサージ機によれば、それぞれ異なる刺激を供給可能なマッサージローラに交換することにより、それぞれ異なる刺激を得ることができる。
【図面の簡単な説明】
【０００９】
【図１】電動式ローラマッサージ機１の模式図。
【図２】マッサージ部２０の構造を示す概念図。
【図３】電動式ローラマッサージ機１を下端側から見た平面図。
【図４】マッサージ部２０の構造を示す概念図。
【図５】電動式ローラマッサージ機１を下端側から見た平面図。
【図６】マッサージ部２０の変形例１を示す概念図。
【図７】マッサージ部２０の変形１を示す平面図。
【図８】マッサージ部２０の変形例２を示す概念図。
【図９】マッサージ部２０の変形例２を示す平面図。
【図１０】マッサージ部２０の変形例３を示す概念図。
【図１１】マッサージ部２０の変形例３を示す平面図。
【発明を実施するための形態】
【００１０】
［実施形態］
以下、実施の形態を図に基づき説明する。図１に示すように本実施形態の電動式ローラマッサージ機１は、本体１０と、マッサージ部２０とから主に構成される。電動式ローラマッサージ機１は、防水性を備え浴室内でも使用できることが望ましい。
（本体１０について）
本体１０は、筐体１００、この筐体１００に内蔵される印刷回路基板１０２、電動モータ１０３、ギアボックス１０６、下カバー１０７、二次電池１０８を備える。筐体１００には、一般家庭のコンセントなどから得られる商用電源をＡＣ-ＤＣ変換する整流回路が内蔵されることもある。この場合、この整流回路は、単体の基板として、または印刷回路基板１０２に形成される電子回路の１つとして筐体１００に配設される。
【００１１】
筐体１００は、プラスチックを射出成形することにより所望の形状に形成されている。この実施形態では、筐体１００は、開口部を有する幅広の下端と、この下端よりも幅狭の上端を有し、全体として略円錐形状になるように形成されている。筐体１００は、射出成形により全体が一体形成される。また、射出成形により形成された複数のパーツ（例えば、フロントパーツとバックパーツの２パーツ）を組み合わせて形成することもできる。筐体１００は、ブロー成形により一体形成してもよい。
筐体１００上端の上面には、商用電源を電動モータ１０３や二次電池１０８に供給するための電源接続端子１０１が配設される。筐体１００側面には、電動モータ１０３の駆動をＯＮ・ＯＦＦするためのスイッチ１０４が設けられている。
【００１２】
筐体１００側面の一部には、使用者によって握持されるための凹状の握持部１００ａが設けられている。この握持部１００ａには、装飾性が得られるとともに使用者の手の平の滑り止めとしての機能を備えるゴム材又は発泡プラスチック材が設けられることが望ましい。
印刷回路基板１０２は、スイッチ１０４のＯＮ・ＯＦＦ操作に対応させて電動モータ１０３の駆動をＯＮ・ＯＦＦさせたり、商用電源を用いた二次電池１０８の充電の制御などを行ったりする制御部である。
電動モータ１０３は、マッサージ部２０を回転駆動させるための動力源である。電動モータ１０３は、商用電源または二次電池１０８から電力を供給されることにより回転する主軸１０３ａを有する。
【００１３】
主軸１０３ａは、第１の回転軸として機能し、筐体１００の長手方向に沿って筐体１００下端部の開口に向かうように配置される。主軸１０３ａは、先端部にここでは図示を省略した歯車（ギア）を備え、この歯車を含む先端部はギアボックス１０６内に配置される
ギアボックス１０６は、主軸１０３ａの先端部の歯車と対応する多数の歯車（図示せず）を備える変速機である。ギアボックス１０６は、この歯車と回転可能に接続された伝達軸１０６ａを介して主軸１０３ａの回転をマッサージ部２０に伝達する伝達機構である。
【００１４】
伝達軸１０６ａは、第２の回転軸として機能し、電動モータ１０３の主軸１０３ａと同軸的に、かつギアボックス１０６から筐体１００の下端部の開口に向けて略垂直に設けられる。伝達軸１０６ａの筐体１００の下端部の開口側に位置する先端側には、マッサージ部２０が着脱自在に取り付けられる。
図２に示すように、伝達軸１０６ａの筐体１００の下端部の開口側に位置する先端側には、ねじ山１０６ｂが形成されている。ねじ山１０６ｂに換えて、フランジ状の複数の凸部を伝達軸１０６ａの先端部に設けるようにしてもよい。
下カバー１０７は、伝達軸１０６ａが貫通する貫通孔１０７ａを略中央部に備える円柱状または円盤状の部材である。下カバー１０７は、ここでは筐体１００と別体としたが、筐体１００と一体的に形成することもできる。
【００１５】
下カバー１０７は筐体１００の下端部の開口を塞ぐように配設される。このように下カバー１０７を筐体１００の開口を塞ぐように配設することよって、使用者が筐体１００内部に指などを不用意に入れてしまうことによる指先の怪我や電動モータ１０３などの収容物の破損を防止することができる。
下カバー１０７は、筐体１００の内部の空間を印刷回路基板１０２、電動モータ１０３、ギアボックス１０６、二次電池１０８などが収容される収容空間１０７ｂ及びマッサージ部２０の一部を覆う収容空間１０７ｃに分ける仕切り部材としての機能を有する。
【００１６】
二次電池１０８は、商用電源からの電力の供給が困難な場合に電動モータ１０３に対して電力を供給するための電源である。二次電池１０８は、商用電源から得られる電力によって充電される。二次電池１０８には、例えば、リチウムイオン型、ニッケル水素型のものなどを採用することができる。
（マッサージ部２０について）
次に図２〜４を用いてマッサージ部２０について詳細に説明する。
マッサージ部２０は肌に刺激を付与するものであり、図２または図４にそれぞれ示すように転動マッサージ部２０ａまたはボールマッサージ部２０ｂから構成され、使用者の好みに合わせて一方が筐体１００の下端部に装着される。
まず、図２及び図３を用いて転動マッサージ部２０ａについて詳細に説明する。転動マッサージ部２０ａは、第１のマッサージアタッチメントであり、電動モータ１０３の駆動に対応して、使用者の所望の肌面上を転動してこの肌面にパルス状の刺激を与えることができる。
【００１７】
図２、３に示すように転動マッサージ部２０ａは、１つの回転盤２１０、３つの回転軸２１３、３つのマッサージローラユニット２２０及び３つの袋ナット２３０を備える。図２では、図面を見やすくするために回転軸２１３、マッサージローラユニット２２０及び袋ナット２３０をそれぞれ２つずつ図示している。
図２に示すように、回転盤２１０は円柱状または円盤状に形成された基体である。回転盤２１０は、伝達軸１０６ａの先端側に固定されかつ収容空間１０７ｃ内に配置されて、電動モータ１０３の駆動と対応して伝達軸１０６ａと一体的に回転する。
回転盤２１０は、下カバー１０７と対向する上面２１０ａ、上面２１０ａの反対面である下面２１０ｂ、上面２１０ａ及び下面２１０ｂを接続する側面２１０ｃを有する。
【００１８】
回転盤２１０には、伝達軸１０６ａが出し入れ自在に挿入される伝達軸装着孔２１１及び複数の回転軸２１３が挿入可能な複数の回転軸挿入孔２１２が形成される。
伝達軸装着孔２１１は、伝達軸１０６ａを嵌挿可能となる形状及び寸法に形成され、上面２１０ａの略中央部から下面２１０ｂの略中央部に向かって略垂直に設けられる。伝達軸装着孔２１１の底部近傍の側壁には、伝達軸１０６ａの先端部のねじ山１０６ｂと対応する溝２１１ａが形成されており、この溝２１１ａにねじ山１０６ｂを嵌め込むことで、回転盤２１０を伝達軸１０６ａに安定して固定することができる。このことにより、回転盤２１０が筐体１００の下部から脱落してしまうことが防止される。溝２１１ａの形状は、伝達軸１０６ａの先端部の形状に対応させて種々変更してもよい。例えば、伝達軸１０６ａの先端部にフランジ状の凸部が形成されていた場合には、伝達軸装着孔２１１の底部近傍の側面には、この凸部に対応する凹部を形成してもよい。
【００１９】
複数の回転軸挿入孔２１２は、それぞれ回転軸２１３の一端部を挿入可能な形状及び寸法に形成され、側面２１０ｃの周方向にそれぞれ所定の間隔を置いて形成される。図３に示すように、回転軸挿入孔２１２は、ここでは一例として下面２１０ｂを正面から見たとき、それぞれ１２０度ずつ間隔が開くように形成されている。
図２に示すように回転軸２１３は、棒状の部材であり、マッサージローラユニット２２０を軸支することによって、マッサージローラユニット２２０の回転軸として機能する。
回転軸２１３は、一端部を回転軸挿入孔２１２に挿入され、回転盤２１０の側面２１０ｃから外側に向かって伸びるように設けられる。回転軸２１３は、例えば接着剤によって回転盤２１０に固定される。回転軸２１３の回転軸挿入孔２１２に挿入される一端部にねじ山を設けることで、回転盤２１０に固定する構成としてもよい。また、回転軸２１３を回転盤２１０に一体形成してもよい。
【００２０】
回転軸２１３の他端部には、袋ナット２３０が係止されるためのねじ山２１３ａが形成されている。回転軸２１３に袋ナット２３０が係止されることにより、回転軸２１３に軸支されて回転盤２１０に装着されたマッサージローラユニット２２０の回転盤２１０からの脱落を防止することができる。
マッサージローラユニット２２０は、歯車形状を有する一対のローラ２２０ａ、２２０ｂから構成されている。
ローラ２２０ａは、内輪２２１ａとこの内輪２２１ａの外縁を覆うようにして設けられる外輪２２６ａから構成されている、
内輪２２１ａは、上面２２２ａ、この上面２２２ａの反対面である下面２２３ａ及び貫通孔２２５ａを備える円柱状または円盤状の部材である。内輪２２１ａは、ゴムやプラスチックにより形成されることが望ましい。貫通孔２２５ａは、上面２２２ａから下面２２３ａまで貫通する孔であり、内輪２２１ａの略中央部に設けられる。貫通孔２２５ａは、回転軸２１３が挿入可能な寸法および形状を備える。貫通孔２２５ａによってローラ２２０ａを回転軸２１３に装着することができる。
【００２１】
外輪２２６ａは、適度な弾性を備えるようにゴムや発泡プラスチックにより形成されることが望ましい。外輪２２６ａは、外周面に沿って、使用者の肌面に刺激を与えるための複数の棘２２７ａが歯車状に突設されている。
外輪２２６ａの寸法や棘２２７ａの寸法及び設置数は特に限定されず、所定の数値、数を適宜採用することができる。例えば、外輪２２６ａの直径（１つの棘２２７ａの先端から反対側の他の棘２２７ａまでの長さ）として４ｃｍ〜５ｃｍの範囲で任意の数値を適宜採用してよい（例えば、直径が４．５ｃｍ）。例えば、棘２２７ａの一つあたりの高さとして、０．６〜１．０ｃｍの範囲で任意の数値を適宜設定してもよい（例えば０．８ｃｍ）。そして棘２２７ａの数は、例えば１３個とすることができる。
【００２２】
ローラ２２０ｂは、ローラ２２０ａと同様に構成され、ローラ２２０ａが備える内輪２２１ａ及び外輪２２６ａにそれぞれ対応する内輪２２１ｂ及び外輪２２６ｂを備える。内輪２２１ｂは、上面２２２ａ、下面２２３ａ及び貫通孔２２５ａと対応する上面２２２ｂ、下面２２３ｂ及び貫通孔２２５ｂを備える。外輪２２６ｂは、棘２２７ａに対応する棘２２７ｂを備える。
以上のように構成されたマッサージローラユニット２２０は、結果として図３に示すように、回転盤２１０の下面２１０ｂを正面から見たとき、それぞれ１２０度ずつ間隔が開くように、筐体１００下端の開口部に配置される。
【００２３】
（転動マッサージ部２０ａの使用方法）
以上のような構成を有する転動マッサージ部２０ａを電動式ローラマッサージ機１に装着した場合の使用方法及び効果について説明する。使用者がスイッチ１０４をＯＮ・ＯＦＦ操作することによって電動モータ１０３の駆動（主軸１０３ａの回転）がＯＮ・ＯＦＦされる。主軸１０３ａの回転速度は、ギアボックス１０６によって最適な速度に変換されて回転盤２１０に伝達される。この結果、転動マッサージ部２０ａ全体が筐体１００の下端部において、電動モータ１０３と同軸的に及び筐体１００と相対的に回転する。すなわち、マッサージローラユニット２２０が、筐体１００の下部の開口縁部に沿って回転移動する（図３の矢印参照。）。
【００２４】
電動モータ１０３の駆動がＯＮ状態のときに、使用者が握持部１００ａを握り、マッサージローラユニット２２０の棘２２７ａ、２２７ｂを使用者の肌面に当接させることで、棘２２７ａ及び２２７ｂと使用者の肌との摩擦により、回転軸２１３によって軸止されたマッサージローラユニット２２０が図１の矢印のように回転しながら肌面上を転動する。この肌面上を転動する棘２２７ａ、２２７ｂによって、肌面に対してパルス状の刺激を与える（すなわちタッピングする）ことができる。そして、このパルス状の刺激によって肌面にマッサージ効果を与えることができる。
【００２５】
次に、図４、５を用いてボールマッサージ部２０ｂについて詳細に説明する。ボールマッサージ部２０ｂは、第２のマッサージアタッチメントであり、転動マッサージ部２０ａと同様に筐体１００の下端に着脱自在に取り付けられ、電動モータ１０３の駆動に対応して、使用者の所望の肌面上を転動してこの肌面に冷温的で連続的な刺激を与える刺激付与部である。
図４に示すようにボールマッサージ部２０ｂは、１つの回転盤３１０、３つのマッサージボール３２０を備える。
回転盤３１０は、収容空間１０７ｃ内に配置され、かつ伝達軸１０６ａに固定されて電動モータ１０３の駆動と対応して伝達軸１０６ａと一体的に回転する。
【００２６】
回転盤３１０は、下端部にフランジ部３１１を有する略円柱状に形成された基体である。回転盤３１０は、下カバー１０７と対向する上面３１０ａ、上面３１０ａと反対側の面でありかつフランジ部３１１の下面を含む面である下面３１０ｂを有する。
回転盤３１０には、図２の伝達軸装着孔２１１と対応し、伝達軸１０６ａが出し入れ自在に挿入される伝達軸装着孔３１２が形成される。
フランジ部３１１は、回転盤３１０の垂直方向と直交する方向に突設されている。フランジ部３１１は、マッサージボール３２０を回転可能に保持するためのマッサージボール保持部３１１ａを有する。マッサージボール保持部３１１ａは、外観形状が略台形の形状を有し、上面３１０ａと逆の方向に向かって下面３１０ｂに突設されている。
【００２７】
マッサージボール保持部３１１ａは、マッサージボール３２０が脱落しないように、マッサージボール３２０の断面における半径ｔよりも長くなるように形成され（図中のt1参照）、その先端部を「かしめ構造」とすることが望ましい。
図５に示すように、マッサージボール保持部３１１ａは、下面３１０ｂの円周方向において、それぞれ１２０度ずつ間隔が開くように形成されている。
図４に示すように、伝達軸装着孔３１２は、伝達軸１０６ａを嵌挿可能となる形状及び寸法に形成され、上面３１０ａの略中央部から下面３１０ｂの略中央部に向かって略垂直に設けられる。伝達軸装着孔３１２の底部近傍の側壁には、伝達軸１０６ａの先端部のねじ山１０６ｂと対応する溝３１２ａが形成されており、この溝３１２ａにねじ山１０６ｂを嵌め込むことで、回転盤３１０を伝達軸１０６ａに固定することができる。このことにより、ボールマッサージ部２０ｂが筐体１００の下部から脱落してしまうことが防止される。
【００２８】
マッサージボール３２０は、刺激付与体であり、例えば金属製の球体である。マッサージボール３２０は、使用者の肌面上を滑らかに転動する。マッサージボール３２０は、ゴム又は発泡プラスチックで形成することもできる。
【００２９】
（ボールマッサージ部２０ｂの使用方法）
以上のような構成を有するボールマッサージ部２０ｂを電動式ローラマッサージ機１に装着した場合の使用方法及び効果について説明する。使用者がスイッチ１０４をＯＮ・ＯＦＦ操作することによって電動モータ１０３の駆動（主軸１０３ａの回転）がＯＮ・ＯＦＦされる。主軸１０３ａの回転速度は、ギアボックス１０６によって最適な速度に変換されて回転盤３１０に伝達される。この結果、転動マッサージ部２０ａ全体が筐体１００の下端部において、電動モータ１０３と同軸的に及び筐体１００と相対的に回転する。
すなわち、マッサージボール保持部３１１ａに保持されたマッサージボール３２０が、筐体１００の下部の開口縁部に沿って回転移動する（図５の矢印参照。）。
【００３０】
このように電動モータ１０３の駆動がＯＮ状態のときに、使用者が握持部１００ａを握り、マッサージボール３２０を使用者の肌面に当接させることで、マッサージボール３２０と使用者の肌との摩擦により、マッサージボール３２０が肌面上を滑らかに転動する。この肌面上を転動するマッサージボール３２０によって、肌面をマッサージすることができる。マッサージボール３２０を金属で構成することによって、マッサージボール３２０が肌面に接触した際には、肌面の熱がマッサージボール３２０に移動し、局所的に肌の体温を低下させる。このことにより、肌を引き締める効果を得ることができる。
【００３１】
本発明に係る電動式ローラマッサージ機１によれば、使用者は、上記した転動マッサージ部２０ａ及びボールマッサージ部２０ｂを任意のタイミングで、好きな方を容易に取り換えることができ、それぞれ異なる刺激感覚を得ることができる。
転動マッサージ部２０ａ及びボールマッサージ部２０ｂでは、それぞれ肌面への刺激の与え方が異なるため、使用者が刺激に慣れてしまうことを防止することができる。このことにより、使用者が次第にマッサージ器を使用しなくなってしまうことを防止することができる。
【００３２】
以上、本発明の一態様に係る電動式ローラマッサージ機１について説明したが、本発明は上記の実施の形態にのみ限定されるものではなく、その要旨を逸脱しない範囲で種々の変更が可能である。
例えば、上記した実施形態では、マッサージ部２０が転動マッサージ部２０ａまたはボールマッサージ部２０ｂから構成されたものであった。このマッサージ部２０を、転動マッサージ部２０ａまたはボールマッサージ部２０ｂに代わる他のマッサージ手段を備えるような構成とすることもできる。
以下、転動マッサージ部２０ａまたはボールマッサージ部２０ｂに代わるマッサージ手段であるマッサージ部２０ｃ〜２０ｅについて説明する。以下の説明では、上記の実施形態の記載と対応する箇所には同一の符号を付し、詳細な説明は省略する。
【００３３】
[マッサージ部２０ｃについて]
図６、７を用いてマッサージ部２０の変形例１であるマッサージ部２０ｃについて説明する。
図６、７に示すように、マッサージ部２０ｃは、転動マッサージ部２０ａと似た構成を備えており、回転軸２１３によって回転可能に軸支されて回転盤２１０に設けられる３つのマッサージローラユニット３３０を備える。図６では、図面を見やすくするために回転軸２１３、マッサージローラユニット３３０及び袋ナット２３０をそれぞれ２つずつ図示している。
なお、ここでは１つの回転軸２１３に１つのマッサージローラユニット３３０を設ける構成としたが、図２に示したローラ２２０ａ，２２０ｂのように、１つの回転軸２１３に複数のマッサージローラユニット３３０を設けるように構成してもよい。
【００３４】
図７に示すように、マッサージローラユニット３３０は、回転盤２１０の下面２１０ｂを正面から見たとき、それぞれ１２０度ずつ間隔が開くように、筐体１００下端の開口部に配置される。
図６に示すように、マッサージローラユニット３３０は、内輪２２１ａとこの内輪２２１ａの外縁を覆うようにして設けられる外輪３３６ａから構成されており、全体として略円柱状に形成されている。
外輪３３６ａは、ゴムや発泡プラスチックにより形成され、適度な弾性を備えることが望ましい。外輪３３６ａは、外周面が使用者の肌面に当接され、肌面上を転動することで肌面に対して連続的な摩擦刺激を与えることができる。
【００３５】
[マッサージ部２０ｄについて]
マッサージ部２０ｄは、凹凸を有するプレートである。マッサージ部２０ｄは、図８、９に示すように、回転盤３１０のフランジ部３１１の下面を含む面である３１０ｂに上面３１０ａと逆の方向に向かって半球体状に突設された複数のマッサージ突起３４０を備える。
マッサージ突起３４０は、ゴムや発泡プラスチックで形成することができる。なおマッサージ突起３４０を金属で構成するようにしてもよい。
マッサージ突起３４０を用いることによって、使用者の肌の面方向に摩擦刺激を与えることができる。使用者が本体１０を肌に押し付けるように操作することにより、マッサージ突起３４０によってツボを押圧するツボマサージを行うことができる。
【００３６】
[マッサージ部２０eについて]
マッサージ部２０eは、ブラシとして機能するプレートである。マッサージ部２０eは、図１０、１１に示すように、回転盤３１０のフランジ部３１１の下面３１０ｂに上面３１０ａと逆の方向に向かって稙設された複数の植毛ユット３５０を備える。植毛ユット３５０は、馬毛などの天然素材やナイロンなどの化学繊維を多数束ねて形成したものである。
このような構成を有するマッサージ部２０eを用いることによって、使用者の肌の面方向に対して乾布摩擦のような刺激を与えることができる。
また、植毛ユット３５０にボディーソープや洗顔フォームをつけた場合には、マッサージ部２０eの回転によって、洗顔や体の洗浄を行なう洗浄装置として電動式ローラマッサージ機１を機能させることもできる。
【００３７】
[その他の変形例]
以上、本発明の一態様に係る電動式ローラマッサージ機１のマッサージ部２０の変形例１〜３について説明したが、本発明はさらに種々の変形が可能である。例えば、転動マッサージ部２０ａの棘２２７ａ，２２７ｂに電極を備えるように構成することもできる。この電極に二次電池１０８などの電力を供給することによって、肌面に微量な電流を流し、筋肉を刺激することによって、皮膚の張りを高めたり筋肉の緊張をほぐしたりすることができる。
例えば、マッサージ部２０eが備える植毛ユニットを矩形の複数の板部材に稙設し、この板部材を図３に示すマッサージ部２０のように、それぞれが１２０度ずつずれるように配置するような構成としてもよい。
【００３８】
また、例えば電動式ローラマッサージ機１において、ギアボックス１０６や二次電池１０８を備えない構成としてもよい。また電動式ローラマッサージ機１ではマッサージローラユニット２２０を３つを備えたが、この個数は限定されず更に多くのマッサージローラユニット２２０を備える構成であってもよい。
さらに、マッサージ部２０を電動モータ１０３の主軸１０３ａの軸方向及びまたはこの軸方向に直交する方向（例えば、図５に記載の下面３１０ｂの面方向）に振動させるための加振機構を筐体１００内に備えるようにしてもよい。この加振機構は、例えばボイスコイルモータ、偏心モータ、電磁石、ばねなどを用いて構成される。加振機構には商用電源や二次電池１０８の電力を供給するようにしてもよい。この加振機構による振動のＯＮ・ＯＦＦを切り替えるスイッチ筐体１００に設けることもできる。
【００３９】
加振機構によるマッサージ部２０の振動方法には、以下（１）〜（４）のパターンがある。
（１）加振機構がマッサージ部２０を直接振動させる。
（２）加振機構が伝達軸１０６ａを振動させる。結果的として、この伝達軸１０６ａと一体的にマッサージ部２０が振動する。
（３）加振機構がギアボックス１０６を振動させる。結果的として、このギアボックス１０６と一体的に伝達軸１０６ａ及びマッサージ部２０が振動する。
（４）加振機構が電動モータ１０３を振動させる。結果として、この電動モータ１０３と一体的にギアボックス１０６、伝達軸１０６ａ及びマッサージ部２０が振動する。
【００４０】
以上のような加振機構を備えることによって、マッサージ部２０の回転駆動による使用者の肌面に対する刺激だけではなく、マッサージ部２０の振動による刺激を肌面に与えることができる。
【符号の説明】
【００４１】
１…電動式ローラマッサージ機、２０…マッサージ部、２０ａ…転動マッサージ部２０ｂ…ボールマッサージ部、２０ｃ-２０ｅ…マッサージ部、１００…筐体、１００ａ…握持部、１０１…電源接続端子、１０２…印刷回路基板、１０３…電動モータ、１０３ａ…主軸、１０４…スイッチ、１０６…ギアボックス、１０６ａ…伝達軸、１０６ｂ…山、１０７…下カバー、１０７ａ…貫通孔、１０７ｂ…収容空間、１０７ｃ…収容空間、１０８…二次電池、２１０…回転盤、２１０ａ…上面、２１０ｂ…下面、２１０ｃ…側面、２１１…伝達軸装着孔、２１１ａ…溝、２１２…回転軸挿入孔、２１３…回転軸、２１３ａ…ねじ山、２２０…マッサージローラユニット、２２０ａ，２２０ｂ…ローラ、２２１ａ，２２１ｂ…内輪、２２２ａ，２２２ｂ…上面、２２３ａ，２２３ｂ…下面、２２５ａ，２２５ｂ…貫通孔、２２６ａ，２２６ｂ…外輪、２２７ａ，２２７ｂ…棘、２３０…袋ナット、３１０…回転盤、３１０ａ…上面、３１０ｂ…下面、３１１…フランジ部、３１１ａ…マッサージボール保持部、３１２…伝達軸装着孔、３１２ａ…溝、３２０…マッサージボール、３３０…マッサージローラユニット、３３６ａ…外輪、３４０…マッサージ突起、
３５０…植毛ユット。
【図１】
2014018506.tif 000003
【図２】
2014018506.tif 000004
【図３】
2014018506.tif 000005
【図４】
2014018506.tif 000006
【図５】
2014018506.tif 000007
【図６】
2014018506.tif 000008
【図７】
2014018506.tif 000009
【図８】
2014018506.tif 000010
【図９】
2014018506.tif 000011
【図１０】
2014018506.tif 000012
【図１１】
2014018506.tif 000013